(57)【要約】【課題】  従来は、線香・香水線香の支持部位を分散化するために細い線状化でなる耐燃性疎巻コイル状装着孔を設ける構成である。しかし、この耐燃性疎巻コイル状装着孔を構成する線径及び／又はピッチ等に関する記述が無く、かつ線香等を差込み保持した使用態様では、条件が整わない限り、途中で立ち消えする危険性がある。【構成】  本発明は、線香、芳香剤等の香料素材を載架できるスプリングと、スプリングを固定できる器で構成した香料素材載置用の道具である。従って、香料素材の自己消火（立消え）の回避と、廃材の発生を無くし、またこれに纏わる種々の弊害を無く得る。【選択図】      図１
2007075221.tif 000002
【特許請求の範囲】
【請求項１】
線香、芳香剤等の香料素材を載架できるスプリングと、スプリングを固定できる器とで構成してなる線香、芳香剤等の香料素材載置用の道具。
【請求項２】
請求項１に記載のスプリングを、扁平形状の線材とする構成とした前記香料素材の自己消火（立消え）の回避を可能とする構成とした線香、芳香剤等の香料素材載置用の道具。
【請求項３】
請求項１に記載のスプリングを、コイルスプリングとする構成とした線香、芳香剤等の香料素材載置用の道具。
【請求項４】
請求項１に記載のスプリング及び／又は器を、鋼製で形成する構成とした線香、芳香剤等の香料素材載置用の道具。
【請求項５】
請求項１に記載のスプリングを、前記器の表裏に設ける構成とした線香、芳香剤等の香料素材載置用の道具。
【請求項６】
扁平形状の線材でなるスプリング素材で形成したスプリングを複数本絡合、溶接、止め具等の固定手段で定形し、この定形による複数本となったスプリングで構成した線香、芳香剤等の香料素材載置用の道具。
【発明の詳細な説明】
【技術分野】
【０００１】
本発明は、線香、芳香剤等の香料素材を載架し、自己消火回避が可能な（立消えを無くした）線香、芳香剤等の香料素材載置用の道具に関する。
【背景技術】
【０００２】
従来、この種の線香立ては、墓地においては、線香立ての筒型容器を利用し、この筒型容器に束の線香を立設する構成である。従って、筒型容器内の線香は、空気との接触が遮断され、その基部は立消え（自己消火）となる。そして、この立消えた線香の束は、風等の外的要因で、筒型容器内から排出されて、墓地内を飛散する状態となり、公害の発生と、美観の低下、又は清掃作業等の如く、後処理が要求されること等の弊害が考えられる。そして、これに関する先行文献として、文献（１）、文献（２）があるので、以下、その概要を説明する。
【０００３】
先ず、文献（１）は、特開２００２−２０４７４４の「耐燃性疎巻コイルを利用した、線香・香水線香立類」であって、この発明は、線香・香水線香の支持部位を分散化すると共に、細い線状化でなる耐燃性疎巻コイル状装着孔（あな）と、このコイル状装着孔に連設された取付け部と、この取付け部が固止される耐燃性台でなる構成であって、コイル状装着孔にすることで、熱の吸収冷却を少なくし、火が消えずに線香の末端まで完全燃焼するようにしたことを特徴とする。
【０００４】
また文献（２）は、特開平８−２８０９７号の「墓の線香立て容器」であって、この発明は、底部の平面清掃用ワイヤブラシと、環状の内側向きワイヤブラシを内蔵した脚を有する容器であって、この容器を墓の前の砂に差込む構成であり、墓参りの人は燃えている線香をこの中に入れると、線香は灰になるまで燃え続け、またその灰は降雨時に自然に容器外に排出して清掃されるので一切の手間がかからないこと、また万一のトラブル発生時にも、容易に分解可能な構造となっていること等を特徴とする。
【０００５】
【特許文献１】特開２００２−２０４７４４
【特許文献２】特開平８−２８０９７号
【発明の開示】
【発明が解決しようとする課題】
【０００６】
文献（１）は、線香・香水線香の支持部位を分散化するために細い線状化でなる耐燃性疎巻コイル状装着孔を設ける構成である。しかし、この耐燃性疎巻コイル状装着孔を構成する線径及び／又はピッチ等に関する記述が無く、かつ線香等を差込み（挿入）保持した使用態様では、条件が整わない限り、途中で立ち消えする危険性がある。殊に前記線径及び／又はピッチ等に関し、精緻な条件設定が要求されることから、製造上での困難性、使用条件の厳格性等が要求される改良点が考えられる。
【０００７】
また文献（２）は、底部の平面清掃用ワイヤブラシと、環状の内側向きワイヤブラシを併用する構成であり、構造が複雑となること、コストの上昇となること等の改良点が考えられる。そして、この発明では、その発明の名称の如く、線香立には有効であるとしても、構造面及び／又は形態等を考慮した際に、芳香剤（アロマセラピー）用としての使用には抵抗感が考えられる。
【課題を解決するための手段】
【０００８】
請求項１の発明は、線香、芳香剤等の香料素材の自己消火（立消え）を回避することで、廃材（線香、芳香剤等の残り滓）の発生を無くし、またこれに纏わる種々の弊害を無くす（線香、芳香剤等の残り滓の飛散、環境破壊等の防止、清掃回数の減少と手間を無くす）こと等を意図する。またスプリングでなる線材は、器の形状に捉われず設置又は載置等の如く、セットできる構成を採用し、本発明の道具の用途拡充及び／又は利便性を図りつつ、市井の要望に応えること等を意図する。
【０００９】
請求項１は、線香、芳香剤等の香料素材を載架できるスプリングと、スプリングを固定できる器とで構成してなる線香、芳香剤等の香料素材載置用の道具である。
【００１０】
請求項２の発明は、請求項１の目的を達成すること、この目的を達成するのに最適なスプリングを提供すること、又は香料素材の自己消火を回避できるスプリングを提供すること等を意図する。
【００１１】
請求項２は、請求項１に記載のスプリングを、扁平形状の線材とする構成とした前記香料素材の自己消火（立消え）の回避を可能とする構成とした線香、芳香剤等の香料素材載置用の道具である。
【００１２】
請求項３の発明は、請求項１の目的を達成すること、この目的を達成するのに最適なスプリングを提供すること等を意図する。
【００１３】
請求項３は、請求項１又は請求項２に記載のスプリングを、コイルスプリングとする構成とした線香、芳香剤等の香料素材載置用の道具である。
【００１４】
請求項４の発明は、請求項１の目的を達成すること、この目的を達成するのに最適なスプリング及び／又は器を提供すること等を意図する。
【００１５】
請求項４は、請求項１に記載のスプリング及び／又は器を、鋼製で形成する構成とした線香、芳香剤等の香料素材載置用の道具である。
【００１６】
請求項５の発明は、請求項１の目的を達成すること、この目的を達成するのに最適なスプリングを提供すること等を意図する。
【００１７】
請求項５は、請求項１に記載のスプリングを、前記器の表裏に設ける構成とした線香、芳香剤等の香料素材載置用の道具である。
【００１８】
請求項６の発明は、請求項１の目的を達成すること、この目的を達成するに最適なスプリング構造の道具を提供すること、又は道具（定形による複数本となったスプリング）の汎用性と、利便性、低コスト化、軽量化、取扱いの容易化等を図ること等を意図する。
【００１９】
請求項６は、扁平形状の線材でなるスプリング素材で形成したスプリングを複数本絡合、溶接、止め具等の固定手段で定形し、この定形による複数本となったスプリングで構成した線香、芳香剤等の香料素材載置用の道具である。
【発明の効果】
【００２０】
請求項１の発明は、線香、芳香剤等の香料素材を載架できるスプリングと、線材を固定できる器とで構成してなる線香、芳香剤等の香料素材載置用の道具である。
【００２１】
従って、請求項１は、線香、芳香剤等の香料素材の自己消火（立消え）を回避することで、廃材の発生を無くし、またこれに纏わる種々の弊害を無くすこと等の特徴がある。またスプリングでなる線材は、器の形状に捉われず設置又は載置等の如く、セットできる構成を採用し、本発明の道具の用途拡充及び／又は利便性を図りつつ、市井の要望に応えること等の実益がある。
【００２２】
請求項２の発明は、請求項１に記載のスプリングを、扁平形状の線材とする構成とした香料素材の自己消火（立消え）の回避を可能とする構成とした線香、芳香剤等の香料素材載置用の道具である。
【００２３】
従って、請求項２は、請求項１の目的を達成できること、この目的を達成するのに最適なスプリングを提供すること、又は香料素材の自己消火を回避できるスプリングを提供できること等の特徴を有する。
【００２４】
請求項３の発明は、請求項１に記載のスプリングを、コイルスプリングとする構成とした線香、芳香剤等の香料素材載置用の道具である。
【００２５】
従って、請求項３は、請求項１の目的を達成できること、この目的を達成するのに最適なスプリングを提供できること等の特徴を有する。
【００２６】
請求項４の発明は、請求項１に記載のスプリング及び／又は器を、鋼製で形成する構成とした線香、芳香剤等の香料素材載置用の道具である。
【００２７】
従って、請求項４は、請求項１の目的を達成できること、この目的を達成するのに最適なスプリング及び／又は器を提供できること等の特徴を有する。
【００２８】
請求項５の発明は、請求項１に記載のスプリングを、器の表裏に設ける構成とした線香、芳香剤等の香料素材載置用の道具である。
【００２９】
従って、請求項５は、請求項１の目的を達成すること、この目的を達成するのに最適なスプリングを提供できること等の特徴を有する。
【００３０】
請求項６の発明は、扁平形状の線材でなるスプリング素材で形成したスプリングを複数本絡合、溶接、止め具等の固定手段で定形し、定形による複数本となったスプリングで構成した線香、芳香剤等の香料素材載置用の道具である。
【００３１】
従って、請求項６は、請求項１の目的を達成できること、この目的を達成するに最適なスプリング構造の道具を提供できること、又は道具の汎用性と、利便性、低コスト化、軽量化、取扱いの容易化等が図れること等の特徴がある。
【発明を実施するための最良の形態】
【００３２】
本発明の一例を説明する。
【００３３】
先ず図面の説明をすると、図１は道具を墓地に設けた例の斜視図、図２は湾曲状の器にスプリングを捲装した一例を示した斜視図、図３は図２の断面図、図４は平板状の器にスプリングを係止した一例を示した斜視図、図５は図４の断面図、図６は方形枠体（隙間がある）の器にスプリングを捲装した一例を示した斜視図、図７は図６の断面図、図８〜図１１はアロマセラピーの器にスプリングをセットした各例の斜視図、図１２はスプリングを単独の置物（器の一種）とした例を示す斜視図、図１３はスプリング素材の好ましい一例を示した要部の拡大斜視図である。
【００３４】
図中１は線香、芳香剤等の香料素材載置用として利用できるスプリングであり、この香料素材２の自己消火を無くすために、望ましくは、スプリング１の構成を次のようにする。即ち、線径が略０．１６φの線材を採用し、この線材を潰し加工して、厚みが略０．０２５〜０．０７５ｍｍで、幅が略１．４５〜０．５０ｍｍの板状のスプリング素材１００（扁平形状の線材）とする。そして、このスプリング素材１００をコイリングして、スプリング１を構成する。このスプリング素材１００をランダムにコイリングすることで、スプリング１を構成する板状の隅角部が香料素材２に点接触及び／又は間欠的に接触し、自己消火を無くすことに大いに役立ち有益である。またスプリング素材１００をコイリングすることで、スプリング１の定形性を確保する。
【００３５】
３は前記スプリング１を固定（捲装、取付け、設置、載置、係止等して設けることが）できる器で、この器３は、単純に区別すると、墓用の線香置きとしては、図２、図４、図６に示すような落着いた形態がよく、またアロマセラピー用としては、図８〜図１１に示すような洒落た形態が望ましい。この器３にスプリング１をセットする（設ける）方法は、図２、図４、図６のように、器３に捲装、取付ける等の最も簡易な方法と、また図８〜図１１のように、器３に載置する（設ける）方法がある。そして、スプリング１の集合体を器３の代替とする方法もある。例えば、定形による複数本となったスプリング１の単独で構成した線香、芳香剤等の香料素材載置用の道具であり、この例では、スプリング１を絡み付けること（網形態、凹凸・変形網形態等）で、定形性を確保する。この場合は、定形に要する溶接、緊締、連結具等を不用とし、コストの削減化、作業の容易化、スプリング素材１００の変形防止等に役立ち有益である。そして、このスプリング１の絡みを変更することで、他の形状に変更することも可能となり、重宝すること、趣味・用途及び／又は目的の多様化等に寄与できる。尚、定形による複数本となったスプリング１の定形性は、溶接、止め具、紐、枠体等の例もあり、必要により選択される。
【００３６】
尚、器３の表裏に亘り捲装する構成の例では、例えば、器３の熱気の放散と、この器３（道具・スプリング１を直接）にセットする相手方への熱による弊害の回避及び／又は材質（木質、プラスチック、ガラス、紙等の如く、熱に弱い材質及び／又は製品）の制約を回避できること、又はクッション性の確保に役立つこと等の特徴がある。また道具又はスプリング１を屋内外の物品で、墓石４とか、又は図示しないが各種の陳列台、机、装飾台、鏡台、スタンド等の物品の上に、直接及び／又は間接的にセットすることも可能である。この場合には、スプリング１の隙間及び／又は空気の流通と、冷却効果が総合的に有効作用することが考えられる。
【００３７】
そして、前述した如く、スプリング１及び／又は器３の形態、寸法、材質等の殆どの条件は、本発明では限定されず使用でき、重宝すること、汎用性及び／又は多様化の確保、また使用の利便性等に寄与できる。尚、スプリング１を器３の代替物品として使用することも可能である。例えば、図１２の例がある。
【図面の簡単な説明】
【００３８】
【図１】図１は道具を墓地に設けた例の斜視図
【図２】図２は湾曲状の器にスプリングを捲装した一例を示した斜視図
【図３】図３は図２の断面図
【図４】図４は平板状の器にスプリングを係止した一例を示した斜視図
【図５】図５は図４の断面図
【図６】図６は方形枠体の器にスプリングを捲装した一例を示した斜視図
【図７】図７は図６の断面図
【図８】図８はアロマセラピー用の器にスプリングをセットした一例の斜視図
【図９】図９はアロマセラピー用の器にスプリングをセットした他の一例の斜視図
【図１０】図１０はアロマセラピー用の器にスプリングをセットしたさらに他の一例の斜視図
【図１１】図１１はアロマセラピー用の器にスプリングをセットした別の一例の斜視図
【図１２】図１２はスプリングを単独の置物（器の一種）とした例を示す斜視図
【図１３】図１３はスプリング素材の好ましい一例を示した要部の拡大斜視図
【符号の説明】
【００３９】
１          スプリング
１００      スプリング素材
２          香料素材
３          器
４          墓石
【図１】
2007075221.tif 000003
【図２】
2007075221.tif 000004
【図３】
2007075221.tif 000005
【図４】
2007075221.tif 000006
【図５】
2007075221.tif 000007
【図６】
2007075221.tif 000008
【図７】
2007075221.tif 000009
【図８】
2007075221.tif 000010
【図９】
2007075221.tif 000011
【図１０】
2007075221.tif 000012
【図１１】
2007075221.tif 000013
【図１２】
2007075221.tif 000014
【図１３】
2007075221.tif 000015